(57)【要約】  【課題】  重量物を吊り下げても、その方向を調整、回転が可能である重量物吊り下げ用シャックルの台座構造を提供する。  【解決手段】  本考案の重量物吊り下げ用シャックルの台座構造は、リング状の底部台座キャップ５に平面ベアリング８を取り付け、底部台座キャップ５の筒カバー５１の外周にはめ込み、頂上部分でリング型上部キャップ４の底部を受けて支えるようになっている為、重量物Pを吊り下げる際に、シャックルによって吊り下げた重量物の調整や回転が可能である。  【選択図】      図２
0003109570.tif 000002
【実用新案登録請求の範囲】
【請求項１】
リング状台座の両側にかけた取り外し可能なＵ字型のシャックルに、上部にあるリング型上部キャップ、中間が高くなった筒カバー、及び貫通した筒の口を持つ底部台座キャップを組み合わせて、前記リング状台座の内側の台座の口の頂上部と底辺で挟み込む形になり、固定ボルトがリング型上部キャップの中間を下に向かって貫通し、底部台座キャップを通り、前記固定ボルトの突出したらせん状の部分が、下方の重量物にあらかじめ開けてあるらせん状の槽に挿入されて固定するようになっていて、
リング状台座の頂上部の中央に、平らな平面ベアリングがちょうどはまるようになったリング型のくぼみ部分が設けられていて、平面ベアリングの中間の口の部分が底部台座キャップの筒カバー外周にはめ込まれ、その頂上面がリング型上部キャップの底部を受けて支え、台座が重量物を吊り下げた時、平面ベアリングが中継して受けるので、リング型上部キャップとリング状台座の間に、水平方向の回転機能が生じることを特徴とする重量物吊り下げ用シャックル。
【考案の詳細な説明】
【技術分野】
【０００１】
本考案は重量物吊り下げ用シャックルの台座構造に関する。詳しくは、本考案の重量物吊り下げ用シャックルの台座構造は、シャックルの台座の底部に重量物を吊り下げる際に、シャックルによって吊り下げた重量物の調整や回転が可能である。また、その構造はリング状の底部台座キャップに平面ベアリングを取り付けただけで、底部台座キャップの筒カバーの外周にはめ込み、頂上部分でリング型上部キャップの底部を受けて支えるようになっている。
【背景技術】
【０００２】
重量物吊り下げ用シャックルの台座構造は、主に、重量物、加工物、あるいは、デッキ等を吊り下げたり、運んだりする際に使用される。従来の構造（図１参照）は、取り外し可能なＵ字型のシャックル３をリング状台座２の両側にかけ、上部にあるリング型上部キャップ４と中間が高くなった筒カバー５１及び貫通した筒の口５２を持つ底部台座キャップ５を組み合わせて、リング状台座２の内側の台座の口２１の頂上部と底辺で挟み込む形になり、固定ボルト６がリング型上部キャップ４の中間を下に向かって貫通し、底部台座キャップ５の筒の口５２を通り、その突出したらせん状の部分６１が下方の重量物Ｐの、あらかじめ開けてあるらせん状の槽Ｐ１に挿入されて固定するようになっている。
【考案の開示】
【考案が解決しようとする課題】
【０００３】
しかしながら、上記のような構造は、シャックル上方に連結されたチェーン、クレーンがクレーン作業を行なう際、下方の重量物Ｐの重さが、固定ボルト６を下に引っ張り、リング型上部キャップ４、リング状台座２等のパーツが重さでくっついてしまうという状況が発生する。このため、リング型上部キャップ４、リング状台座２と底部台座キャップ５の間に存在する、適度に回転する同心円によるはめ込み具合が、それぞれのパーツが重量物Ｐによって生じた「垂直に引っ張られる力」によって、「滞る状態」になってしまい、うまく回転しなくなる。
【０００４】
また、重量物Ｐを吊り下げた後、加工あるいは検視、修正等の作業において、重量物Ｐを一部回転させたり、調整したりする時、その操作が非常に困難でやりにくく、時には全く操作できないこともあり不便である。
【０００５】
さらに、重量物Ｐが運ばれる時、シャックル上方のフック（上部のチェーンあるいはワイヤを含む）が、回転方式で吊り下げた重量物Ｐを移動させる際、重量物Ｐは元置かれていた位置によっては、各パーツが停滞状態になることがあり、かえって、フック上方のチェーンやワイヤが回転して変更が生じ、作業者が正確に重量物を目的の位置に移動することができなくなり、極めて不便である。
【０００６】
そこで、本考案は、吊り下げられた重量物が付随して回転することがなく、必要に応じて自由に回転させることができ、作業が便利に行える重量物吊り下げ用シャックルの台座構造を提供することを課題とする。
【課題を解決するための手段】
【０００７】
上記の課題を解決するために、請求項１記載の考案は、リング状台座の両側にかけた取り外し可能なＵ字型のシャックルを、上部にあるリング型上部キャップ、中間が高くなった筒カバー、及び貫通した筒の口を持つ底部台座キャップを組み合わせて、前記リング状台座の内側の台座の口の頂上部と底辺で挟み込む形になり、固定ボルトがリング型上部キャップの中間を下に向かって貫通し、底部台座キャップの筒の口を通り、前記固定ボルトの突出したらせん状の部分が、下方の重量物にあらかじめ開けてあるらせん状の槽に挿入されて固定するようになっていて、リング状台座の頂上面の中央に、平らな平面ベアリングがちょうどはまるようになったリング型のくぼみ部分が設けられていて、平面ベアリングの中間の口の部分が底部台座キャップの筒カバー外周にはめ込まれ、その頂上面がリング型上部キャップの底部を受けて支え、台座が重量物を吊り下げた時、平面ベアリングが中継して受けるので、リング型上部キャップとリング状台座の間に、水平方向の回転機能が生じることを特徴とする重量物吊り下げ用シャックルである。
【考案の効果】
【０００８】
本考案の重量物吊り下げ用シャックルの台座構造は、リング状台座の頂上部分の中央にリング型のくぼみ部分があって、平面ベアリングがはまり込むようになっている。平面ベアリングの中間の口の部分は底部台座キャップの筒カバーの外周にはまり込むようになっている。その頂上面はリング型上部キャップの底辺を受けて支えるようになっている。したがって、下方の重量物を吊り下げた時の重みを受けても、平面ベアリングが中継していること、そして、その回転機能により、シャックルが重量物を吊り下げても、それぞれ独立してその方向を調整、回転することが可能である。そして、作業者のニーズに応じて重量物の正確な方向、位置及び運搬後の正確な位置をつかむことが可能で、操作が便利である。
【０００９】
また、本考案の重量物吊り下げ用シャックルの台座構造は、シャックル上方のフック（上方のチェーンあるいはワイヤを含む）の回転が、重量物を吊り下げた時に生じる回転の影響を受けて、平面ベアリングが中継すること、そして、その回転機能により、その回転に対応して調整することが可能で、重量物を予定通りの方向で吊り下げ、運搬することが可能である。
【考案を実施するための最良の形態】
【００１０】
図２、図３に示すように、本考案の重量物吊り下げ用シャックルの台座構造は、リング状台座７の両側に掛けた取り外し可能なＵ字型のシャックル３に、上部にあるリング型上部キャップ４と、中間が高くなった筒カバー５１及び貫通した筒口５２を持つ底部台座キャップ５を組み合わせて、リング状台座７の内側の台座の口７１（図４、５参照）の頂上部と底辺で挟み込む形になり、固定ボルト６がリング型上部キャップ４の中間に下に向かって貫通し、底部台座キャップ５を通り、その突出したらせん状の部分６１が、下方の重量物Ｐの、あらかじめ開けてあるらせん状の槽Ｐ１に挿入されて固定するようになっている。
【００１１】
そして、リング状台座７の頂上面の中央に、平らな平面ベアリング８がちょうどはまるようになったリング型のくぼみ部分７２が設けられていて、平面ベアリング８の中間の口８１の部分が底部台座キャップ５の筒カバー５１外周にはめ込まれ、その頂上面がリング型上部キャップ４の底部を受けて支える。そして、本考案のシャックルの台座構造を介して、図３に示す上方のフック（上部のチェーンあるいはワイヤを含む）が重量物Ｐを吊り下げた時、平面ベアリング８が中継して受けるので、リング型上部キャップ４とリング状台座７の間に、重量物Ｐの重量を受けて生じる「垂直に引っ張られる力」に対応するのに充分で、平面ベアリング８の「水平方向」の回転機能によって、本考案のシャックルの台座を介して吊り下げられた重量物Ｐが、シャックルの上方の前記フック（上部のチェーンあるいはワイヤを含む）に回転（図３、図４参照）が生じても、重量物Ｐは付随して回転することがなく、元の方向や状態を保つ。
シャックルの上方のフック（上部のチェーンあるいはワイヤを含む）が動かない状態（図５参照）においても、重量物Ｐは作業者の操作によって自由に回転させて、適度な方位に移動させることが可能な、調整、回転機能を持つ。
【００１２】
図６に示すように、重量物Ｐが多数のシャックル台座と共に吊り下げられるという様々な状況において、それぞれの平面ベアリング８は、それぞれの重量物Ｐに対して「水平方向」の回転調整機能を持ち、同時に、シャックル上方のフック及び上部チェーンあるいはワイヤに吊り下げられる状況に対応して、平坦にスムーズに作業が行なえるようになっている。したがって、本考案の重量物吊り下げ用シャックルの台座構造は、従来の重量物吊り下げ用シャックルの台座構造の問題を改善していて実用性が高い。
【図面の簡単な説明】
【００１３】
【図１】従来の重量物吊り下げ用シャックルの構造における実施例の断面図である。
【図２】本考案の重量物吊り下げ由シャックルの構造を採用した立体分解図である。
【図３】本考案の重量物吊り下げ用シャックルの構造を採用した立体組立図である。
【図４】本考案の重量物吊り下げ用シャックルの構造を採用した断面図である。
【図５】本考案の重量物吊り下げ用シャックルの構造を採用した断面図である。
【図６】本考案の重量物吊り下げ用シャックルの構造を採用した断面図である。
【符号の説明】
【００１４】
３…Ｕ字型シャックル、４…リング型上部キャップ、５…底部台座キャップ、
６…固定ボルト、８…平面ベアリング、５１…筒カバー
５２…筒の口、６１…らせん状になった部分、７…リング状台座
７１…台座の口、７２…リング型のくぼみ部分
８１…口、Ｐ…重量物、Ｐ１…らせん状になった槽
【図１】
0003109570.tif 000003
【図２】
0003109570.tif 000004
【図３】
0003109570.tif 000005
【図４】
0003109570.tif 000006
【図５】
0003109570.tif 000007
【図６】
0003109570.tif 000008